(57)【要約】【課題】  配筋の組立作業の効率を向上できて工事費用を低減できるようにする。【解決手段】  棒状部５ａと、該棒状部５ａの両端部にフック部５ｂ，５ｂとを有する複数のフープ筋５，…が複数の索条３，…の長さ方向に所定の間隔をおいて固定されて一体的に構成される配筋ユニット１を吊り下げ、配筋ユニット１の上方から複数の主筋１０，…を供給し、しかる後、主筋１０，…とフープ筋５，…とを互いに結束する方法である。【選択図】図２
2007032112.tif 000002
【特許請求の範囲】
【請求項１】
それぞれフック部（５ｂ，５ｂ）を有する複数のフープ筋（５，…）が複数の索条（３，…）の長さ方向に所定の間隔をおいて固定されて一体的に構成される配筋ユニット（１）を吊り下げ、次に、複数の主筋（１０，…）を配筋ユニット（１）に上方から供給した後、主筋（１０，…）とフープ筋（５，…）とを互いに結束することを特徴とする大型構造物の配筋工法。
【請求項２】
複数のフープ筋（５，…）を索条（３，…）に固定して配筋ユニット（１）を形成した後、索条（３，…）を吊り下げることで配筋ユニット（１）を吊り下げることを特徴とする請求項１に記載の大型構造物の配筋工法。
【請求項３】
複数の配筋ユニット（１，…）を並列、又は枠状に連結することを特徴とする請求項１又は２に記載の大型構造物の配筋工法。
【請求項４】
それぞれフック部（５ｂ，５ｂ）を有する複数のフープ筋（５，…）と、該フープ筋（５，…）が長さ方向に所定の間隔をおいて固定される複数の索条（３，…）とを備えたことを特徴とする大型構造物の配筋工法に使用される配筋ユニット。
【発明の詳細な説明】
【技術分野】
【０００１】
本発明は、それぞれフック部を有する複数の水平方向のフープ筋と、複数の上下方向の主筋とを備えた大型構造物の配筋工法及び該配筋工法に使用される配筋ユニットに関する。
【背景技術】
【０００２】
従来のこの種の配筋工法では、複数の支柱にフープ筋を仮固定し、この仮固定した第一仮組体を治具により順次積み重ねて第二仮組体を構成し、この第二仮組体を予め基礎部に立設固定された複数の主筋の上方から挿入し、しかる後、各主筋と第二仮組体とを結束線で固定している。この際、第二仮組体を挿入しやすいように、各主筋の上端部に鏃状の案内部材を装着しているものが公知になっている（例えば特許文献１参照）。
【０００３】
上記各主筋に案内部材を使用する理由としては、各主筋の上端部が自由端となるため、自重により各主筋が撓んで第二仮組体の上方からの供給が困難になるからである。
【特許文献１】特開２０００−１０４４０４号公報
【発明の開示】
【発明が解決しようとする課題】
【０００４】
しかしながら上記従来の大型構造物の配筋工法の場合、各主筋の上端部に案内部材を装着しても、主筋の撓みが矯正されるものではなく、主筋を仮組体のフープ筋の内側に供給するのが困難である。また、各主筋に対して案内部材を装着する作業が煩雑で効率が悪くなるという問題がある。さらに、フープ筋を整列した状態で積み重ねるための治具が必要となるため、その分コスト高になる。
【０００５】
そこで、本発明は上記問題点に鑑み、配筋作業の効率を向上できて工事費用を低減できる大型構造物の配筋工法及び該配筋工法に使用される配筋ユニットを提供することを課題とする。
【課題を解決するための手段】
【０００６】
本発明に係る大型構造物の配筋工法は、それぞれフック部５ｂ，５ｂを有する複数のフープ筋５，…が複数の索条３，…の長さ方向に所定の間隔をおいて固定されて一体的に構成される配筋ユニット１を吊り下げ、次に、複数の主筋１０，…を配筋ユニット１に上方から供給した後、主筋１０，…とフープ筋５，…とを互いに結束するようにしたものである。
【０００７】
配筋ユニット１の上方から主筋１０，…を供給するようにしたことで、従来のようにその上端部が自由端となることによって生じる主筋１０，…の撓みに影響されることなく円滑に配筋作業が行える。しかも、主筋１０，…の撓みがフープ筋５のフック部５ｂ，５ｂによって規制されて大型構造物の強度が確保されるという利点もある。索条３としては、ロープ、ワイヤ、チェーンのいずれを使用してもよく、該索条３，…によってフープ筋５を略水平方向に保持できる。
【０００８】
本発明に係る大型構造物の配筋工法においては、複数のフープ筋５，…を索条３，…に固定して配筋ユニット１を形成した後、索条３，…を吊り下げることで配筋ユニット１を吊り下げるようにすることができる。
【０００９】
この場合、予め工場で配筋ユニット１を制作しておくことが可能となって作業効率がさらに向上する。尚、索条３の長さ方向にフープ筋５を固定するための目印を予め付しておけば、この目印に合わせてフープ筋５を固定するだけで簡単に組立できる。さらに、フープ筋５にも索条３との固定位置の目印を予め付しておくと作業効率がより一層向上する。
【００１０】
さらに、本発明に係る大型構造物の配筋工法においては、複数の配筋ユニット１，…を並列、又は枠状に連結するようにして使用することが可能である。
【００１１】
この場合、クレーンを用いたり、簡単な足場を組んだりすることによって壁構造の配筋や橋脚の配筋を容易に組み立てることができる。
【００１２】
また、本発明に係る大型構造物の配筋工法に使用される配筋ユニットは、それぞれフック部５ｂ，５ｂを有する複数のフープ筋５，…と、該フープ筋５，…が長さ方向に所定の間隔をおいて固定される複数の索条３，…とを備えたものである。
【００１３】
例えば、吊り下げた索条３，…の長さ方向に複数のフープ筋５，…を固定して簾状にするだけなので、従来のようにフープ筋５をセットするための特別な治具は必要なく、その分安価に構成できて軽量化が図れる。さらに、配筋ユニット１を梯子状に吊り下げた状態（伸長した状態）では、上下の各フープ筋５が略平行した状態に位置することになるので、各フープ筋５が略一列に整列配置されるようになり、上方からの主筋１０の供給が容易に行える。
【００１４】
加えて、複数のフープ筋５，…が索条３，…に固定されるので、各フープ筋５同士の間隔を狭めるあるいは無くすことができ、配筋ユニット１の伸縮が可能になる。このため、吊り下げない状態（縮小状態）の配筋ユニット１は運搬が容易になる。
【発明の効果】
【００１５】
以上説明したように、本発明の大型構造物の配筋工法によれば、所定間隔毎に配置されたフープ筋の上方から主筋を供給するので、主筋の撓みによって配筋の組立作業に支障をきたすことがなく、配筋の組立作業が円滑に行われ、工期が大幅に短縮される効果がある。
【００１６】
また、本発明の大型構造物の配筋工法に使用される配筋ユニットによれば、索条の長さ方向にフープ筋を順次固定するだけでよく、組立作業の効率を大幅に改善できる。また、配筋ユニットを組み立てるのに治具を使用していないので、その分工事原価が低減される。
【発明を実施するための最良の形態】
【００１７】
以下、本発明の一実施形態に係る大型構造物の配筋工法及び該配筋工法に使用される配筋ユニットについて、添付図面を参照しつつ説明する。
【００１８】
まず、本実施形態の大型構造物の配筋工法に使用される配筋ユニットの構成につき、図１を参照して説明する。この配筋ユニット１は、複数のチェーンからなる索条３，…と、該索条３，…の長さ方向に所定の間隔をおいて固定されたフープ筋５，…とから構成されている。また、配筋ユニット１は、図２（イ）に示すように、吊り下げない状態（縮小状態）で現場に運搬する。なお、図中の符号１９ａは、配筋ユニット１を吊り下げるための吊り治具である。
【００１９】
各フープ筋５は、棒状部５ａと、該棒状部５ａの両端部に設けられた略Ｕ字形状及び略Ｌ字形状のフック部５ｂ，５ｂとを有している。そして、複数の配筋ユニット１，…が例えばリング状又は角環状に枠組みされる（図５及び図６参照）。この際、各配筋ユニット１のフック部５ｂ，…が供給される主筋１０，…に対して内側に向いていると共に、所定の間隔をおいて重なり合っている。また、各フープ筋５に、索条３との固定位置を、例えば塗料やフラグによって明確に付しておくことが好ましい。このフープ筋５を使用すると共に、索条３としてチェーンを使用した場合、フープ筋５におけるチェーンの固定位置が明確になることに加えて、チェーンを構成する複数のリングのピッチが一定のため、手間をかけずに配筋ユニット１を作製できる。
【００２０】
つぎに上記配筋ユニット１を使用する本実施形態の大型構造物の配筋工法について、深礎施工及び橋脚施工を例にとって説明する。まず、いずれの施工にも使用される配筋ユニット１の作製手順から説明する。
【００２１】
配筋ユニット１は、図１及び図２に示すように、図３に示す深礎施工用の円弧状の吊り治具１９ａ、又は、図４に示す橋脚用の枠状の吊り治具３１に、チェーンからなる索条３，…を吊り下げて、該索条３，…の長さ方向に所定の間隔をおいて複数のフープ筋５，…を配置して結束線６，…などで結束固定する。この配筋ユニット１の作製は、工場で予めしてもよく、現場でしてもよい。いずれの場合にも組立治具は不要である。なお、コンクリートを打設する際には、索条３，…は埋設してもよいし、取り外してもよい。
【００２２】
深礎施工の場合は、図７（イ）に示すように、掘削した立杭１５に固定足場１６を設け、立杭１５の壁面の深さ方向に且つ周方向に沿ってアンカー１７，…を水平方向に打設する。その後、図７（ロ）に示すように、深さ方向に打設された各アンカー１７に配筋ユニット１を仮り受けするための段取り筋１８，…を上下方向に設ける。
【００２３】
つぎに、図８（イ）に示すように、地上のクレーンＡで配筋ユニット１を吊り下げて上方から立抗１５内に供給し、円弧状の吊り治具１９ａがリング状になるように、複数の配筋ユニット１，…を各段取り筋１８に結束線などで仮固定し、各配筋ユニット１を下から上に順次設けて外枠組み体Ｄを構築する。
【００２４】
つぎに、図８（ロ）に示すように、各アンカー１７，…の先端部に新たにアンカー１７，…を延長すると共に、段取り筋１８も新たに設ける。即ち、図９（イ）に示すように、上記外枠組み体Ｄの内周側に、当該外枠組み体Ｄよりも小径の内枠組み体Ｅを略同心状に設ける。続いて、図９（ロ）に示すように、クレーンＡで主筋１０を吊り下げて、外枠組み体Ｄの配筋ユニット１の上方から主筋１０，…を供給する。
【００２５】
つぎに、図１０（イ）に示すように、フープ筋５と主筋１０との交差部を結束線などで結束して仮固定した後、図１０（ロ）に示すように、主筋１０をクレーンＡで再度吊り下げて、内枠組み体Ｅの配筋ユニット１の上方から供給し、フープ筋５と主筋１０とを上記と同様に仮固定し、最上段まで上記作業を順次繰り返す。そうすれば、円筒状の配筋構造２０が構築される（図５参照）。
【００２６】
なお、図５の配筋構造２０の内部には、十字状の補強部２１が設けられているが、この補強部２１は、固定足場１６に支持部材を設けて（図示せず）上述した配筋構造２０と同様の手順で施工して構築される。
【００２７】
次に、橋脚施工の方法について説明する。図１１（イ）に示すように、便宜上橋脚の下段部Ｂが既設されているものとし、下段部Ｂの両側には、昇降可能な一対の移動足場３０が設けられ、下段部Ｂの上部には、長さの異なる二種類の主筋１０（先節鉄筋）の上端部が外部に臨出している。この下段部Ｂの上に、外枠組み体Ｄ及び内枠組み体Ｅを順次設けて橋脚の配筋構造３３を構築する手順について説明する。
【００２８】
図１１（ロ）に示すように、移動足場３０の間に、クレーンＡで吊り下げた配筋ユニット１，…を位置させて、下段部Ｂの主筋１０側に降下させる。この際、図４に示すように、配筋ユニット１を枠状（角環状）の吊り治具３１に吊り下げる一方、図１２（イ）に示すように、移動足場３０の高さ方向に受け支持部材３２，…を取り付け、該受け支持部材３２，…に配筋ユニット１を仮固定する。これによって、角環状の外枠組み体Ｄと、該外枠組み体Ｄよりも小さい内枠組み体Ｅとが構築される。
【００２９】
つぎに、図１２（ロ）に示すように、外枠組み体Ｄ及び内枠組み体Ｅを順次積み重ねて、図１３（イ）に示すように、一節分の枠組み体Ｆを構築する。その後、図１３（ロ）に示すように、主筋１０をクレーンＡで吊り下げて上方から供給し、図１４（イ）に示すように、外枠組み体Ｄにおいて、供給した主筋１０の下端部と既設の臨出した主筋１０，…の上端部を突き合わせて、主筋１０，…とフープ筋５を結束線にて固定する。続いて、図１４（ロ）に示すように、内枠組み体Ｅにおいて、主筋１０，…とフープ筋５を固定する。これによって、図６に示す角環状の橋脚の一節分の配筋構造３３が完成する。その後、仮受け支持部材３２，…を取り除く（図示せず）。この作業を繰り返して橋脚の最上段まで施工する。図６に示す配筋構造３３には、主筋５，…が図示されていないが、実際には供給されているものとする。
【００３０】
なお、本発明は上記実施形態に限定されるものではなく、本発明の要旨を逸脱しない範囲で種々の変更が可能である。
【００３１】
例えば、前記いずれの施工の場合も、索条３，…を吊り下げた後に、複数のフープ筋５，…を固定するようにしたが、これに限定されるものではなく、索条３，…を吊り下げる前に、複数のフープ筋５，…を索条３，…に固定するようにしてもよい。
【００３２】
また、索条３としてチェーンを使用しているが、ワイヤ、綱であってもよい。
【００３３】
配筋ユニット１の吊り治具１９，３１は、図示に限定されるものではなく、円形、楕円、多角形のいずれであってもよく、構築される大型構造物に合わせて適宜設計変更可能である。
【００３４】
さらに、例えば図５に示すように、大小の配筋ユニット１を外内に所定の間隔をおいて配置する二重構造にしてもよい。この場合、外側の配筋ユニット１と内側の配筋ユニット１との間にも複数の主筋１０，…を供給することになる。
【００３５】
各図においては、便宜上索条３の使用本数、各索条３に配置されたフープ筋５，…及び主筋１０，…の使用本数を少なくし簡略化しているが、複数のフープ筋５，…及び主筋１０，…を緻密に配置してもよい。この場合、フープ筋５，…を各索条３の長さ方向に順次配置して密集させてもよく、複数のフープ筋５，…を一つの単位として各索条３の長さ方向に所定の間隔毎に設けてもよい。さらに、複数の配筋ユニット１，…を高さ方向に連結するようにしてもよい。
【図面の簡単な説明】
【００３６】
【図１】本発明の一実施形態に係る大型構造物の配筋工法に使用される配筋ユニットを示す概略図である。
【図２】（イ）〜（ハ）は本発明の一実施形態に係る大型構造物の配筋工法の概略説明図である。
【図３】配筋ユニットを円形の吊下げ治具に吊り下げた状態を示した斜視図である。
【図４】配筋ユニットを四角形の吊下げ治具に吊り下げた状態を示した斜視図である。
【図５】深礎部施工の配筋構造を示した平面図である。
【図６】橋脚施工の配筋構造を示した平面図である。
【図７】（イ）、（ロ）は深礎部の施工方法の一部を示す図である。
【図８】（イ）、（ロ）は深礎部の施工方法の一部を示す図である。
【図９】（イ）、（ロ）は深礎部の施工方法の一部を示す図である。
【図１０】（イ）、（ロ）は深礎部の施工方法の一部を示す図である。
【図１１】（イ）、（ロ）は橋脚の施工方法の一部を示す図である。
【図１２】（イ）、（ロ）は橋脚の施工方法の一部を示す図である。
【図１３】（イ）、（ロ）は橋脚の施工方法の一部を示す図である。
【図１４】（イ）、（ロ）は橋脚の施工方法の一部を示す図である。
【符号の説明】
【００３７】
１…配筋ユニット、３…索条、５…フープ筋、５ａ …棒状部、５ｂ…フック部、６…結束線、１０…主筋、１５…立杭、１６…固定足場、１７…アンカー、１８…段取り筋、１９…吊り治具、１９ａ…円弧状の吊り治具、２０…深礎のフープ筋配筋構造、２１…補強部、３０…移動足場、３１…枠状の吊り治具、３２…受け支持材、３３…橋脚のフープ筋配筋構造、Ａ…クレーン、Ｂ…下段部、Ｄ…外枠組み体、Ｅ…内枠組み体、Ｆ…一節分の枠組み体
【図１】
2007032112.tif 000003
【図２】
2007032112.tif 000004
【図３】
2007032112.tif 000005
【図４】
2007032112.tif 000006
【図５】
2007032112.tif 000007
【図６】
2007032112.tif 000008
【図７】
2007032112.tif 000009
【図８】
2007032112.tif 000010
【図９】
2007032112.tif 000011
【図１０】
2007032112.tif 000012
【図１１】
2007032112.tif 000013
【図１２】
2007032112.tif 000014
【図１３】
2007032112.tif 000015
【図１４】
2007032112.tif 000016